(57)【要約】【課題】  水泳用ゴーグルの重量が軽減され着用して軽く快適である水泳用ゴーグルの提供。【解決手段】  連接部品で連接され取り付け口を具えた二つの網状挟持フレームと、軟材質で形成されレンズを収容し、該網状挟持フレーム内に組み付けられるフレーム本体と、該網状挟持フレームの取り付け口を圧迫すると共にヘッドバンドが通される緊迫装置とを具え、そのうち網状挟持フレームに相互に対応してフレーム本体の前後側端を囲む係止リングが設けられ、且つ二つの係止リングの間が複数のリブで連接され、フレーム本体の外周面に網状挟持フレームのリブに対応する複数の位置決め溝が設けられ、また、係止リングの側端に係止溝が設けられ、全体の水泳用ゴーグルの重量が減らされ、着用して軽く快適である水泳用ゴーグルとされている。【選択図】        図１
0003110803.tif 000002
【実用新案登録請求の範囲】
【請求項１】
水泳用ゴーグルにおいて、
二つの網状挟持フレームであって、各網状挟持フレームに相互に対応する係止リングが設けられ、且つ二つの係止リングの間が複数のリブで連接され、別に係止リングの外側に取り付け口が設けられ、並びに該取り付け口の両側がそれぞれ延伸されて相互に当接し一体とされうる第１、２結合片が設けられた、上記二つの網状挟持フレームと、
二つの網状挟持フレームの間に設けられた連接部品と、
二つのフレーム本体であって、軟材質で形成され、それぞれ二つの網状挟持フレーム内に組み付けられ、各フレーム本体が外周面と内周面を具え、内周面に収容溝が設けられ、外周面に網状挟持フレームのリブに対応する複数の位置決め溝が設けられ、係止リングに対応する側端に係止溝が設けられた、上記二つのフレーム本体と、
二つのフレーム本体の収容溝内に組み付けられる二つのレンズと、
緊迫装置であって、網状挟持フレームの第１、２結合片に組み付けられ、相互に係合して一体とされ並びにヘッドバンドを通して位置決めするのに供される第１カバーと第２カバーを少なくとも具えた、上記緊迫装置と、
を具えたことを特徴とする、水泳用ゴーグル。
【請求項２】
請求項１記載の水泳用ゴーグルにおいて、網状挟持フレームの二つの係止リング間の距離がリブの長さより小さいことを特徴とする、水泳用ゴーグル。
【請求項３】
請求項２記載の水泳用ゴーグルにおいて、網状挟持フレームの複数のリブが等間隔に平行に設置されたことを特徴とする、水泳用ゴーグル。
【請求項４】
請求項３記載の水泳用ゴーグルにおいて、連接部品が二つの網状挟持フレームと一体に形成され、且つ一体成形された軟質パッドを具えたことを特徴とする、水泳用ゴーグル。
【請求項５】
請求項１記載の水泳用ゴーグルにおいて、フレーム本体の内周面の一側より一体に保護パッドが延伸されたことを特徴とする、水泳用ゴーグル。
【請求項６】
請求項５記載の水泳用ゴーグルにおいて、第１、２結合片に第１連接体と第２連接体が設けられ、該第１連接体が長円孔とされ、第２連接体が半円柱とされて、それぞれ第１、２結合片の接続面辺縁に設けられ、第１、２結合片が当接し一体とされる時に合併され円柱を形成することを特徴とする、水泳用ゴーグル。
【請求項７】
請求項６記載の水泳用ゴーグルにおいて、第１カバーが底面を具え、この底面に第１連接体と組み合わされる第１接合体が設けられ、該第１接合体が長円柱とされたことを特徴とする、水泳用ゴーグル。
【請求項８】
請求項７記載の水泳用ゴーグルにおいて、第２カバーが底面と両側面を具え、この底面に第２連接体と組み合わされる第２接合体が設けられ、該第２接合体が円孔とされ、且つ第２接合体と反対の一側にヘッドバンドバックルが設けられたことを特徴とする、水泳用ゴーグル。
【請求項９】
請求項６記載の水泳用ゴーグルにおいて、第１係止体と第２係止体が更に設けられ、該第１係止体が第１カバーの底面の底端に設けられて凹溝とされ、第２係止体が第２カバーの底端に設けられて凸粒とされたことを特徴とする、水泳用ゴーグル。
【請求項１０】
請求項９記載の水泳用ゴーグルにおいて、第１カバーと第２カバーの底面前端に相互に係合するフックと係止溝が設けられたことを特徴とする、水泳用ゴーグル。
【考案の詳細な説明】
【技術分野】
【０００１】
本考案は一種の水泳用ゴーグルに係り、特に緊迫方式でフレーム本体、レンズ、及び保護パッドが一体に組み合わされ、フレーム本体が軟材質とされ、レンズ収容後に、網状挟持フレームに緊迫装置が組み合わされて一体とされることにより、組合せ形態が新規で且つ軽い着用感を有する水泳用ゴーグルに関する。
【背景技術】
【０００２】
水泳用ゴーグルの形態は非常に多く、レンズ組み付けの方式には以下の三種類、即ち、レンズとフレーム本体が一体式であるもの（以下、一体式と称する）、レンズが埋め込み式にフレーム本体に一体成形されたもの（以下、埋め込み式と称する）、及びレンズがマスク式保護パッドに組み合わされた後に更にフレーム本体に組み合わされ並びに緊迫装置により固定されたもの（以下、緊迫式と称する）、がある。しかし一体式、埋め込み式、緊迫式のいずれも水泳用ゴーグルであっても、フレーム本体は硬材質とされ、フレーム本体は全体の水泳用ゴーグルの主体とされ、その占める重量はほぼ半分であり、このため全体の水泳用ゴーグルの重量を下げることができず、着用時の快適度が大きく損なわれた。
【考案の開示】
【考案が解決しようとする課題】
【０００３】
本考案の目的は、着用して軽い水泳用ゴーグルを提供することにあり、それは、フレーム本体が軟材質で形成され、軽量の網状挟持フレームが組み合わされ、これにより全体の水泳用ゴーグルの重量が減らされ、実際の着用時に軽く快適な効果を提供するものとする。
【０００４】
上述の目的を達成するため、本考案の水泳用ゴーグルの特徴は以下のとおりである。即ち、水泳用ゴーグルが網状挟持フレームを具え、それに相互に対応しフレーム本体の前後側端を囲む係止リングが設けられ、且つ二つの係止リングの間が複数のリブで連接され、また、係止リングの外側にフレーム本体が取り付けられる取り付け口が設けられ、該取り付け口に一体に当接可能で並びに緊迫装置と接続される第１、２結合片が設けられる。
【０００５】
本考案の水泳用ゴーグルのもう一つの特徴は、フレーム本体に軟材質が採用され、その外周面に網状挟持フレームのリムに対応する複数の位置決め溝が設けられ、また、係止リングに対応する側端に係止溝が設けられる。
【課題を解決するための手段】
【０００６】
請求項１の考案は、水泳用ゴーグルにおいて、
二つの網状挟持フレームであって、各網状挟持フレームに相互に対応する係止リングが設けられ、且つ二つの係止リングの間が複数のリブで連接され、別に係止リングの外側に取り付け口が設けられ、並びに該取り付け口の両側がそれぞれ延伸されて相互に当接し一体とされうる第１、２結合片が設けられた、上記二つの網状挟持フレームと、
二つの網状挟持フレームの間に設けられた連接部品と、
二つのフレーム本体であって、軟材質で形成され、それぞれ二つの網状挟持フレーム内に組み付けられ、各フレーム本体が外周面と内周面を具え、内周面に収容溝が設けられ、外周面に網状挟持フレームのリブに対応する複数の位置決め溝が設けられ、係止リングに対応する側端に係止溝が設けられた、上記二つのフレーム本体と、
二つのフレーム本体の収容溝内に組み付けられる二つのレンズと、
緊迫装置であって、網状挟持フレームの第１、２結合片に組み付けられ、相互に係合して一体とされ並びにヘッドバンドを通して位置決めするのに供される第１カバーと第２カバーを少なくとも具えた、上記緊迫装置と、
を具えたことを特徴とする、水泳用ゴーグルとしている。
請求項２の考案は、請求項１記載の水泳用ゴーグルにおいて、網状挟持フレームの二つの係止リング間の距離がリブの長さより小さいことを特徴とする、水泳用ゴーグルとしている。
請求項３の考案は、請求項２記載の水泳用ゴーグルにおいて、網状挟持フレームの複数のリブが等間隔に平行に設置されたことを特徴とする、水泳用ゴーグルとしている。
請求項４の考案は、請求項３記載の水泳用ゴーグルにおいて、連接部品が二つの網状挟持フレームと一体に形成され、且つ一体成形された軟質パッドを具えたことを特徴とする、水泳用ゴーグルとしている。
請求項５の考案は、請求項１記載の水泳用ゴーグルにおいて、フレーム本体の内周面の一側より一体に保護パッドが延伸されたことを特徴とする、水泳用ゴーグルとしている。
請求項６の考案は、請求項５記載の水泳用ゴーグルにおいて、第１、２結合片に第１連接体と第２連接体が設けられ、該第１連接体が長円孔とされ、第２連接体が半円柱とされて、それぞれ第１、２結合片の接続面辺縁に設けられ、第１、２結合片が当接し一体とされる時に合併され円柱を形成することを特徴とする、水泳用ゴーグルとしている。
請求項７の考案は、請求項６記載の水泳用ゴーグルにおいて、第１カバーが底面を具え、この底面に第１連接体と組み合わされる第１接合体が設けられ、該第１接合体が長円柱とされたことを特徴とする、水泳用ゴーグルとしている。
請求項８の考案は、請求項７記載の水泳用ゴーグルにおいて、第２カバーが底面と両側面を具え、この底面に第２連接体と組み合わされる第２接合体が設けられ、該第２接合体が円孔とされ、且つ第２接合体と反対の一側にヘッドバンドバックルが設けられたことを特徴とする、水泳用ゴーグルとしている。
請求項９の考案は、請求項６記載の水泳用ゴーグルにおいて、第１係止体と第２係止体が更に設けられ、該第１係止体が第１カバーの底面の底端に設けられて凹溝とされ、第２係止体が第２カバーの底端に設けられて凸粒とされたことを特徴とする、水泳用ゴーグルとしている。
請求項１０の考案は、請求項９記載の水泳用ゴーグルにおいて、第１カバーと第２カバーの底面前端に相互に係合するフックと係止溝が設けられたことを特徴とする、水泳用ゴーグルとしている。
【考案の効果】
【０００７】
本考案は一種の水泳用ゴーグルを提供し、それは連接部品で連接され取り付け口を具えた二つの網状挟持フレームと、軟材質で形成されレンズを収容し、該網状挟持フレーム内に組み付けられるフレーム本体と、該網状挟持フレームの取り付け口を圧迫すると共にヘッドバンドが通される緊迫装置とを具え、そのうち網状挟持フレームに相互に対応してフレーム本体の前後側端を囲む係止リングが設けられ、且つ二つの係止リングの間が複数のリブで連接され、フレーム本体の外周面に網状挟持フレームのリブに対応する複数の位置決め溝が設けられ、また、係止リングの側端に係止溝が設けられ、全体の水泳用ゴーグルの重量が減らされ、着用して軽く快適である水泳用ゴーグルとされている。
【考案を実施するための最良の形態】
【０００８】
図１に示されるように、本考案の水泳用ゴーグル１は、二つの網状挟持フレーム２、連接部品３、二つのフレーム本体４、二つのレンズ５、及び緊迫装置６を具えている。そのうち、各網状挟持フレーム２に相互に対応する係止リング２０、２１が設けられ、且つ二つの係止リング２０、２１の間が複数のリブ２２で連接され、二つの係止リング２０、２１の相互の間の距離は該リブ２２の長さより短い。複数のリブ２２は等間隔で相互に平行に設置される。また、係止リング２０、２１の外側に取り付け口２３が設けられ、並びに該取り付け口２３より、当接して一体とされうる第１、２結合片２４、２５が延伸され、第１、２結合片２４、２５に第１連接体２６と第２連接体２７が設けられ、該第１連接体２６は長円孔とされ、第２連接体２７は半円柱とされ、第１、２結合片２４、２５が当接し一体とされる時、合併して円柱を形成する。該連接部品３は、二つの網状挟持フレームの間に設けられて二つの網状挟持フレーム２と一体に形成される。且つ一体成形の軟質パッド３０が鼻梁に快適に当接する。
【０００９】
二つのフレーム本体４は軟材質とされ、それぞれ二つの網状挟持フレーム２内に組み付けられ、各フレーム本体４は外周面４０と内周面４１を具え、内周面４１に収容溝４２が設けられてレンズ５を収容する。外周面４０にあって網状挟持フレーム２のリブ２２に対応するように複数の位置決め溝４３が設けられ、また、係止リング２０、２１に対応する側端に係止溝４４が設けられる。また、内周面４１の一側より保護パッド４５が一体に延伸されて顔部との快適な接触を提供する。
【００１０】
該緊迫装置６は、網状挟持フレーム２の第１、２結合片２４、２５に組み付けられ、相互に係合し一体とされる第１カバー６０と第２カバー６１を具え、そのうち第１カバー６０は底面６０１を具え、該底面６０１に第１連接体２６（長円孔）と組み合わされる第１接合体６０２が設けられ、該第１接合体６０２は長円柱とされる。また、底端の両側にそれぞれ第１係止体６０３が設けられ、該第１係止体６０３は凹溝とされる。第２カバー６１は底面６１１と相対する両側面６１２、６１３を具え、そのうち底面６１１にヘッドバンドバックル６１０が設けられてヘッドバンド（図示せず）を通して位置決めするのに供される。該両側面６１２、６１３に第１係止体６０３に対応する第２係止体６１４が設けられ、該第２係止体６１４は凸粒とされ、第１係止体６０３と係合後に、第１カバー６０、第２カバー６１が一体に組み合わされる。また、第２カバー６１の底面６１１に、第２連接体２７（半円柱）に対応する第２接合体６１５が設けられ、該第２接合体６１５は円孔とされ、第１、２結合片２４、２５が一体に当接し合併されて円柱を形成した後、それと嵌合され一体とされる。また、第１カバー６０、第２カバー６１の底面６０１、６１１の前端に相互に係合されるフック６０４と係止溝６１６が設けられる。
【００１１】
本考案を組み立てる時は、先ずレンズ５が二つのフレーム本体４の収容溝４２内に組み付けられ、更に、網状挟持フレーム２の取り付け口２３よりフレーム本体４の内側が連接部品３に近い一側に向けて網状挟持フレーム２に組み込まれる。図３から５に示されるように、組立過程で、該フレーム本体４の外周面４０はその円弧面により、位置決め溝４３が網状挟持フレーム２のリブ２２内に滑り込まされ（図４）、同時に、網状挟持フレーム２の二つの係止リング２０、２１がフレーム本体４の係止溝４４内に係合し（図５）、有効にフレーム本体４が挟持される。最後に第１カバー６０の第１接合体６０２（長円柱）が第１、２結合片２４、２５の第１連接体２６（長円孔）に組み合わされ、この時、第１、２結合片２４、２５が一体に当接し、第２連接体２７（半円柱）が合併されて円柱を形成して第２カバー６１の第２接合体６１５（円孔）と組み合わされ、並びに第１カバー６０と第２カバー６１の第１係止体６０３（凹溝）と第２係止体６１４（凸粒）が係合し、及び底面６０１、６１１前端のフック６０４と係止溝６１６が係合し、網状挟持フレーム２の取り付け口２３が圧迫され、これによりフレーム本体４とレンズ５が強固に組み合わされる。ゆえに、本考案のフレーム本体４は軟材質で形成され、それに軽量の網状挟持フレーム２が組み合わされたことで、全体の水泳用ゴーグルの重量が軽減され、実際の着用時に軽く快適な効果を提供する。
【００１２】
総合すると、本考案の水泳用ゴーグルは確実に本考案の目的を達成し、実用新案登録の要件を具備する。なお、以上の説明は本考案の実施範囲を限定するものではなく、以上の説明及び図面の記載に基づきなしうる細部の修飾或いは改変は、いずれも本考案の請求範囲に属するものとする。
【図面の簡単な説明】
【００１３】
【図１】本考案の立体分解図である。
【図２】図１の立体組合せ図である。
【図３】図２の正面図である。
【図４】図３の４−４断面図である。
【図５】図３の５−５断面図である。
【符号の説明】
【００１４】
１  水泳用ゴーグル                ２  網状挟持フレーム
３  連接部品                      ４  フレーム本体
５  レンズ                        ６  緊迫装置
２０、２１  係止リング            ２２  リブ
２３  取り付け口                  ２４  第１結合片
２５  第２結合片                  ２６  第１連接体
２７  第２連接体
４０  外周面                      ４１  内周面
４２  収容溝                      ４３  位置決め溝
４４  係止溝                      ４５  保護パッド
６０  第１カバー                  ６１  第２カバー
６０１  底面                      ６０２  第１接合体
６０３  第１係止体                ６０４  フック
６１０  ヘッドバンドバックル      ６１１  底面
６１２、６１３  側面              ６１４  第２係止体
６１５  第２接合体                ６１６  係止溝
【図１】
0003110803.tif 000003
【図２】
0003110803.tif 000004
【図３】
0003110803.tif 000005
【図４】
0003110803.tif 000006
【図５】
0003110803.tif 000007